(57)【要約】【課題】横方向に隣接する天窓をできるだけ近づけて配設しても簡単な構成で天窓間の水切りができる。現場における施工誤差により隣接する天窓間の隙間の寸法が設計上の寸法に対して誤差が生じてもこれを吸収できる。【解決手段】隣接する天窓２間に位置する一方の側水切り板３ｂの立ち上がり片５とは反対側の側端縁部を断面略Ｓ字状に折り曲げて立ち上がり片５側に開口した係止溝７を有する折り曲げ片８を形成するとともに折り曲げ片８の先端から立ち上がり片５と反対側に固定片９を連出して固定片９を屋根下地６上に固着具１０により固着する。隣接する天窓２間に位置する他方の側水切り板３ｂの立ち上がり片５とは反対側の側端縁を下面側に折り返して係止片１１を形成する。係止片１１を上記係止溝７に深浅自在に係止する。【選択図】　　　　図１
2004107958.tif 000002
【特許請求の範囲】
【請求項１】
屋根に複数の天窓を天窓間に隙間を介して横方向に隣接して設けると共に天窓の上部を屋根面よりも上方に突出させ、各天窓の水下側、両側、水上側の４周に沿って水下側水切り板を屋根瓦の上に載置し且つ両側の側水切り板及び水上側水切り板を屋根下地上にそれぞれ載置して各水切り板の天窓側端縁部に設けた立ち上がり片を天窓の屋根面よりも上方に突出した部分の外側面に沿わせると共に隣接する水切り板の端部同士を重複し、隣接する天窓間に位置する一方の側水切り板の立ち上がり片とは反対側の側端縁部を断面略Ｓ字状に折り曲げて立ち上がり片側に開口した係止溝を有する折り曲げ片を形成するとともに折り曲げ片の先端から立ち上がり片と反対側に固定片を連出して固定片を屋根下地上に固着具により固着し、隣接する天窓間に位置する他方の側水切り板の立ち上がり片とは反対側の側端縁を下面側に折り返して係止片を形成し、この係止片を上記係止溝に深浅自在に係止して成ることを特徴とする天窓の水切り構造。
【請求項２】
隣接する天窓間に位置する一対の側水切り板の水上側端部の立ち上がり片以外の部分を水上側に向けて連出して重複片とすると共にこの一対の側水切り板の重複片部分においても係止溝と係止片とで係止し、係止溝と係止片とで連結した一対の重複片上で隣接する天窓の各水上側水切り板の端部同士を重ねて成ることを特徴とする請求項１記載の天窓の水切り構造。
【発明の詳細な説明】
【０００１】
【発明の属する技術分野】
本発明は、屋根に設ける複数の天窓の水切りを行うための技術に関するものである。
【０００２】
【従来の技術】
従来から屋根に天窓を設けて屋内に採光することが行われている。屋根に天窓を設ける場合、天窓の周囲の水切りが必要であるが、天窓の水切りに当たっては、天窓の水下側、両側、水上側の４周に沿って屋根下地上にそれぞれ水切り板を配設して水切り板の天窓側端縁部に設けた立ち上がり片を天窓の屋根面よりも上方に突出した部分の木枠の外側面に沿わせて釘打ちなどで固着し、水下側の水切り板の横片は屋根瓦の上に載置し、両側及び水上側の水切り板の横片の上に屋根瓦を載置するようになっている。（例えば特許文献１参照）
また、上記のような水切り構成の天窓を屋根に横方向に複数隣接して設けて採光量を多くすることも行われている。この場合、横方向に隣接する天窓間においては隣接する側水切り板上に屋根瓦が重複して敷設されるものである。
【０００３】
【特許文献１】特開平１０−２６６４８４号公報（段落番号［０００７］）
【０００４】
【発明が解決しようとする課題】
ところが、上記の従来例においては、天窓を屋根に横方向に複数隣接して設けるに当たって、隣接する天窓間において側水切り板上に屋根瓦を重複して敷設しなけれならず、また、隣接する天窓間の隙間幅として側水切り板上に屋根瓦を重複して敷設することができるだけの長さが必要となる。このため、隣接する天窓間の隙間を短くできないという問題がある。
【０００５】
そこで、本発明に至る過程で、天窓２を屋根１に複数隣接して設けるに当たって、天窓２間に屋根瓦４を敷設しないで水仕舞いを行うことを考えた。すなわち、図１３に示すように、横方向に隣接する天窓２間の隙間に両側縁部に立ち上がり片を有する断面Ｕ字状をした水切り板３０を配置し、両立ち上がり片３１をそれぞれ隣接する天窓２の屋根１面よりも上方に突出した部分の天窓用下枠１３の外側面に沿わせて釘のような固着具１０により固着することを考えた。これだと、横方向に隣接する天窓２間に屋根瓦４を敷設しなくてもよく、また、隣接する天窓２間の隙間も間に屋根瓦４を敷設する従来例に比べると狭くできるものである。
【０００６】
しかしながら、断面Ｕ状をした水切り板３０の両立ち上がり片をそれぞれ隣接する天窓２の天窓用下枠１３の外側面に沿わせて固着具１０により固着するものにおいても、天窓２の天窓用下枠１３に立ち上がり片３１を固着具１０で固着するに当たって、天窓２間の隙間を利用して横方向から打ち込む作業が必要であるので、横方向に隣接する天窓２間の隙間の寸法として該隙間を利用して固着具１０の打ち込み作業ができるだけの寸法が必要であり、隣接する天窓２間の隙間を狭くすると上記固着具１０の横方向からの打ち込み作業がし難くなると共に固着具１０の横方向からの打ち込みスペースの制約があるため思った程横方向に隣接する天窓２間の間の隙間を短くできないという問題があることが判明した。
【０００７】
更に、断面Ｕ状をした水切り板３０の両立ち上がり片３１をそれぞれ隣接する天窓２の天窓用下枠１３の外側面に沿わせて固着具１０により固着するものにおいては、現場で天窓２を屋根１に取付け施工する際の誤差により天窓２間の隙間の寸法が断面Ｕ状をした水切り板３０の両立ち上がり片３１間の寸法と一定しない場合が生じやすく、このような場合には該現場の誤差を断面Ｕ状をした水切り板３０では吸収できず、立ち上がり片３１を天窓２の木枠の外側面に沿わせて取り付けることができないという問題がある。
【０００８】
本発明は上記の点に鑑みてなされたものであり、横方向に隣接する天窓をできるだけ近づけて配設しても簡単な構成で天窓間の水切りができ、また、現場における施工誤差により隣接する天窓間の隙間の寸法が設計上の寸法に対して誤差が生じてもこれを吸収できる天窓の水切り構造を提供することを課題とするものである。
【０００９】
【課題を解決するための手段】
上記課題を解決するために本発明に係る天窓の水切り構造は、屋根１に複数の天窓２を天窓２間に隙間を介して横方向に隣接して設けると共に天窓２の上部を屋根面よりも上方に突出させ、各天窓２の水下側、両側、水上側の４周に沿って水下側水切り板３ａを屋根瓦４の上に載置し且つ両側の側水切り板３ｂ及び水上側水切り板３ｃを屋根下地６上にそれぞれ載置して各水切り板３の天窓２側端縁部に設けた立ち上がり片５を天窓２の屋根面よりも上方に突出した部分の外側面に沿わせると共に隣接する水切り板３の端部同士を重複し、隣接する天窓２間に位置する一方の側水切り板３ｂの立ち上がり片５とは反対側の側端縁部を断面略Ｓ字状に折り曲げて立ち上がり片５側に開口した係止溝７を有する折り曲げ片８を形成するとともに折り曲げ片８の先端から立ち上がり片５と反対側に固定片９を連出して固定片９を屋根下地６上に固着具１０により固着し、隣接する天窓２間に位置する他方の側水切り板３ｂの立ち上がり片５とは反対側の側端縁を下面側に折り返して係止片１１を形成し、この係止片１１を上記係止溝７に深浅自在に係止して成ることを特徴とするものである。このような構成とすることで、横方向に隣接する天窓２間においては、２つの水切り板３を断面略Ｕ字状に組みあせて両天窓２間に屋根瓦４を配置しなくても水切りができるものであり、この場合、一方の側水切り板３ｂを固定片９部分において上方からの打ち込みより固着具１０により固着することで横方向に隣合う天窓２間の隙間寸法が小さくても容易に固着具１０により固着作業ができ、また、他方の側水切り板３ｂは係止溝７に係止片１１を係止することで、連結でき、更に、この連結に当たって係止片１１の係止溝７への引っ掛け係止深さを調整することで、施工誤差により発生する横方向に隣接する天窓２間の隙間の寸法誤差を吸収できるものである。
【００１０】
また、隣接する天窓２間に位置する一対の側水切り板３ｂの水上側端部の立ち上がり片５以外の部分を水上側に向けて連出して重複片１２とすると共にこの一対の側水切り板３ｂの重複片１２部分においても係止溝７と係止片１１とで係止し、係止溝７と係止片１１とで連結した一対の重複片１２上で隣接する天窓２の各水上側水切り板３ｃの端部同士を重ねることが好ましい。このような構成とすることで、横方向に隣接する天窓２の水上側水切り板３ｃの端部の重複部分から水漏れが生じても、下の係止溝７と係止片１１とで連結した一対の重複片１２により水を受けて流すことができて、屋根下地６側に水が浸入しないようにできるものである。
【００１１】
【発明の実施の形態】
以下、本発明を添付図面に示す実施形態に基づいて説明する。
【００１２】
屋根１には複数の天窓２が横方向に隙間を介して隣接して設けてある。この天窓２は矩形状をした天窓用下枠１３と天窓用下枠１３上に被着される天窓部１４とで構成してある。天窓用下枠１３は木製又は樹脂製又は人造木により形成してあって矩形状に枠組みしてあり、釘打ちやビス打ちが可能となっている。また、天窓部１４は例えばサッシ枠１４ａにガラスのような採光板１４ｂを装着したものである。この天窓部１４は開閉自在となったもの、開閉できないもののいずれであってもよい。
【００１３】
上記構成の天窓２を屋根１に複数横方向に隣接して設けるに当たっては、まず、図３に示すように屋根下地６に開口１５を横方向に隙間を介して隣接して形成する。次に、図４に示すように各開口１５にそれぞれ天窓２の矩形状をした天窓用下枠１３の下部をはめ込み、Ｌ状をした取付け金具１６により天窓用下枠１３を屋根下地６に固着具１０により固着する。この場合、横方向に隣接する天窓２間の隙間の寸法が短くても、先にＬ状をした取付け金具１６を天窓用下枠１３を取付けた状態で開口１５に天窓用下枠１３の下部をはめ込み、その後、上方からの打ち込み作業により固着具１０を打ち込むことで取付け金具１６を屋根下地６に固着できるものである。
【００１４】
図５に示すように、野地板のような屋根下地６の上面にはルーフィング１７が敷設されるがこのルーフィング１７の端部は天窓用下枠１３の下端に当接するものであり、したがって上記取付け金具１６の横片はルーフィング１７により覆われるものである。また、天窓用下枠１３の４周とルーフィング１７とのなすコーナ部分には天窓用下枠１３の外面からルーフィング１７にわたるように開口部防水テープ１９を貼り付けてある（図１、図２参照）。
【００１５】
各天窓２の水下側、両側、水上側の４周に沿って４枚の水切り板３が配設される。各水切り板３は細長い下横片１８と、下横片１８の短辺方向の一端に沿って設けた立ち上がり片５とを備えていることを基本構造としたものである。
【００１６】
各天窓２の４周に４枚の水切り板３を沿わせて施工するには以下のようにして行う。
【００１７】
まず、天窓２の天窓用下枠１３の下縁に突き合わせるように天窓２の水下側の屋根瓦４を葺く。この場合、天窓２の一側方の屋根瓦４、天窓２の水上側の屋根瓦４は後述の水切り板３の施工が終った後に葺く。
【００１８】
次に、図６に示すように、天窓用下枠１３の水下側に沿って水下側水切り板３ａを配置して取付ける。水下側水切り板３ａは図１０に示すようなもので、下横片１８ａの水上側端部を両側を残してコ字状に切欠し、このコ字状切欠部２０ａの縁に沿って立ち上がり片５ａを立ち上げたものであり、下横片１８ａの両端部のうち一方の端部は他方の端部よりもコ字状切欠部２０ａよりも横方向への突出長さが短くなっている。また、水下側水切り板３ａのコ字状切欠部２０ａの両側の部位は重複部２２ａとなっている。上記の構成の水下側水切り板３ａの下横片１８ａを水下側屋根瓦４の上に重ねると共にコ字状切欠部２０ａを天窓用下枠１３の水下側端部にはめ込んで立ち上がり片５ａを天窓用下枠１３の水下側の外面及び両側面の水下側端部に当接させ、この状態で、両側面のうち隣接する天窓２と反対側の側面側においてねじや釘等の固着具１０により横方向からの打ち込み固定により立ち上がり片５ａと天窓用下枠１３とを固着する。また、下横片１８ａのコ字状切欠部２０ａからの側方への突出長さが短い方の端部は隣接する天窓２間に位置するように配置する。上記のようにして隣接する天窓２の水下側に沿ってそれぞれ水下側水切り板３ａを配設する。
【００１９】
ここで、図１０における符号２１は防水パッキンであって、あらかじめ各水切り板３に固着してある。なお、防水パッキン２１は図１０においては黒く塗りつぶした太線により描いている。
【００２０】
隣接する水下側水切り板３ａの下横片１８ａの長手方向の端部同士がこの防水パッキン２１を介して上下に重複している。そして、この重複部分は水下側の屋根瓦４の上に重なっているので、仮に隣接する水下側水切り板３ａの下横片１８ａの長手方向の端部同士の重複部分から水漏れが生じても下方の水下側の屋根瓦４上に流れて外部に排水することができるようになっている。
【００２１】
なお、隣接する天窓２間においては重複部２２ａの下端部に設けた防水パッキン２１よりも水上側において、重複部２２ａを上方からの打ち込みにより固着具１０を打ち込んで屋根下地６に固着してもよく、このように、上方からの打ち込みで固着具１０を固着できるので、隣接する天窓２間の隙間寸法が短くても固着作業ができるものである。また、防水パッキン２１の上方で固着するので、後述の側水切り板３ｂの下端部を上記防水パッキン２１を介して重ねることで固着部分に水が浸入しないようにできるものである。
【００２２】
このようにして隣接する天窓２の水下側に沿ってそれぞれ水下側水切り板３ａを取付けた後、図７に示すように、各天窓２の両側に沿って側水切り板３ｂを配設する。
【００２３】
側水切り板３ｂは２種類あり、天窓２の両側のうち隣接する天窓２と反対側の側部に沿って配設される側水切り板３ｂ’と、隣接する天窓２に向き合う側の側部に沿って配設される側水切り板３Ｂとがある。
【００２４】
側水切り板３ｂ’は図１０に示すように、水下側から水上側にかけて長くなったもので、下横片１８ｂ１の短辺方向の一側端縁に沿って立ち上がり片５ｂ１を突設し、更に、下横片１８ｂ１の水上側端部の重複部２２ｂを除いて下横片１８ｂ１の上面に逆Ｌ状をした屋根瓦はめ込み片２３ｂが立ち上がり片５ｂ１と平行に設けてある。そして、上記構成の側水切り板３ｂ’をそれぞれ各天窓２の両側のうち隣接する天窓２と反対側の側部に沿って配設し、下横片１８ｂ１を屋根下地６の上に載置し、立ち上がり片５ｂ１を天窓用下枠１３の外側の側面に当接して横方向から釘、ビス等の固着具１０を打ち込んで固着する。この場合、下横片１８ｂ１の水下側端部は水下側水切り板３ａの一方の重複部２２ａに重複され、また、立ち上がり片５ｂ１の水下側端部が水下側水切り板３ａのコ字状切欠部２０ａの一側部の立ち上がり片５ａに重複される。
【００２５】
側水切り板３Ｂは図１０に示すように、２種類の側水切り板３Ｂ１、３Ｂ２があり、いずれの側水切り板３Ｂも水下側から水上側にかけて長くなったもので、下横片１８ｂ２の短辺方向の一側端縁に沿って立ち上がり片５ｂ２を突設し、下横片１８ｂ２の水上側端部を立ち上がり片５ｂ２よりも水上側に向けて連出して重複片１２としてある。ここで、一方の側水切り板３Ｂ１は重複片１２を含めて下横片１８ｂ２の立ち上がり片５とは反対側の側端縁部を断面略Ｓ字状に折り曲げて立ち上がり片５ｂ２側に開口した係止溝７を有する折り曲げ片８を形成してあり、折り曲げ片８の先端から立ち上がり片５と反対側に固定片９を連出してある。また、他方の側水切り板３Ｂ２は重複片１２を含めて下横片１８ｂ２の立ち上がり片５とは反対側の側端縁部を下面側に折り返して係止片１１を形成してある。
【００２６】
そして、隣接する天窓２間において、一方の天窓２の側部に沿って一方の側水切り板３Ｂ１を沿って配設し、立ち上がり片５ｂ２を天窓用下枠１３の隣接する天窓２と対向する方の側面に当接し、下横片１８ｂ２を屋根下地６の上に載置した状態で図１１（ａ）のように固定片９を釘、ビス等の固着具１０の上方からの打ち込み操作により屋根下地６に固着することにより取付ける。また、他方の天窓２の側部に沿って他方の側水切り板３Ｂ２を沿って配設し、他方の天窓用下枠１３の側面に当接し、下横片１８ｂ２を屋根下地６の上に載置した状態で図１１（ｂ）のように係止片１１を係止溝７に係止して連結して取付ける。この場合、両天窓２間の隙間の寸法が施工誤差により設計上の寸法と多少異なっていても、係止片１１の係止溝７への係止深さを調整することで吸収できるものである。上記のように一対の側水切り板３Ｂ（３Ｂ１、３Ｂ２）を取付けた場合、両側水切り板３Ｂ１、３Ｂ２の水下側端部はそれぞれ隣合う水下側水切り板３ａの他方の重複部２２ａに重複され、また、立ち上がり片５ｂ２の水下側端部が水下側水切り板３ａのコ字状切欠部２０ａの他側部の立ち上がり片５ａに重複される。また、両側水切り板３Ｂ１、３Ｂ２の水上側端部に連出した重複片１２は天窓２よりも水上側に突出する。
【００２７】
次に、図８に示すように、両天窓２の水上側にそれぞれ水上側水切り板３ｃを配設する。水上側水切り板３ｃは図１０に示すようなもので、下横片１８ｃの水下側端部を両側を残してコ字状に切欠し、このコ字状切欠部２０ｃの縁に沿って立ち上がり片５ｃを立ち上げたものであり、下横片１８ｃの両端部のうち一方の端部は他方の端部よりもコ字状切欠部２０ｃよりも横方向への突出長さが短くなっている。また、下横片１８ｃには立ち上がり片５ｃよりもやや水上側において流水止め片２７が突設してあって、雨水が流水となって立ち上がり片５ｃに直接当たって立ち上がり片５ｃを乗り越えるのを防止するようになっている。また、下横片１８ｃの上面には立ち上がり片５ｃよりもやや水上側において流水止め片２７が突設してあって、水上側から流れてくる流水が直接立ち上がり片５ｃに当たって立ち上がり５ｃを乗り越えるのを防止するようになっている。
【００２８】
上記の構成の水下側水切り板３ｃの下横片１８ｃを水下側屋根瓦４の上に重ねると共にコ字状切欠部２０ｃを天窓用下枠１３の水上側端部にはめ込んで立ち上がり片５ｃを天窓用下枠１３の水上側の外面及び両側面の水上側端部に当接させ、この状態で、両側面のうち隣接する天窓２と反対側の側面側においてねじや釘等の固着具１０により横方向からの打ち込み固定により立ち上がり片５ｃと天窓用下枠１３とを固着する。また、下横片１８ｃのコ字状切欠部２０ｃからの側方への突出長さが短い方の端部は隣接する天窓２間に位置するように配置する。上記のようにして隣接する天窓２の水上側に沿ってそれぞれ水上側水切り板３ｃを配設する。この場合、隣接する天窓２間において隣接する下横片１８ｃは、両側水切り板３Ｂ１、３Ｂ２の水上側端部に連出した重複片１２の上に重ねられ且つ隣接する下横片１８ｃは同士も防水パッキン２１を介して重複する。
【００２９】
上記のように隣接する天窓２の水上側に沿ってそれぞれ水上側水切り板３ｃを沿わせて配設して取付ける。
【００３０】
このようにして横に隣接する各天窓２の水下側、両側、水上側の４周に沿って水下側水切り板３ａ、側水切り板３ｂ、水上側水切り板３ｃを配設して取付けた後に、図９に示すように、各天窓２の隣接側と反対側の側方に屋根瓦４を葺き、この屋根瓦４の側端部を側水切り板３ｂ’の下横片１８ｂ１に防水パッキン２１を介して重ねると共に該屋根瓦４の側端を側水切り板３ｂ’の屋根瓦はめ込み片２３ｂに嵌め込むようにして葺いていき、更に天窓２の水上側にも屋根瓦４を葺き、この水上側の屋根瓦４を水上側水切り板３ｃの下横片１８ｃ上に防水パッキン２１を介して重ねる。
【００３１】
上記のように水切り板３を取付ける作業中においては、天窓２の天窓部１４を天窓用下枠１３から外した状態で作業をおこなうものであり、水切り板３の取り付け作業が終了してから天窓用下枠１３に天窓部１４を被せて取付け、天窓部１４のサッシ枠１４ａにより各水切り板３の立ち上がり片５の上端部を図１，図２のように覆うものである。この場合、天窓用下枠１３の上面に防水テープ２９のの一端部を取付けておき、この防水テープ２９を水切り板３の上端部外面に重ね、更にその外面をサッシ枠１４ａの垂下片の裏面に設けたシール材で押さえ付けた状態でサッシ枠１４ａにより立ち上がり片５を覆うものである。
【００３２】
しかして、上記のような天窓２の水切り構造によれば、隣接する天窓２間においては、図２に示すように、側水切り板３Ｂ１と側水切り板３Ｂ２とを係止片１１と係止溝７との係止で連結することで、両側水切り板３Ｂ１、３Ｂ２により断面略Ｕ字状をした樋状をした水切り部材が構成されることになり、両天窓２間を流れる雨水はこの樋状をした水切り部材上を流れることとなってこの部分を屋根瓦４で覆わなくても十分な水切りが行われるものである。したがって、両天窓２間が狭くても問題なく水切りができるものである。しかも、横方向に隣接する天窓２の水上側水切り板３ｃの端部の重複部分から水漏れが生じても、下の係止溝７と係止片１１とで連結した一対の重複片１２により水を受けて上記した両側水切り板３Ｂ１、３Ｂ２により断面略Ｕ字状をした樋状をした水切り部材上を流すことができて、屋根下地６側に水が浸入しないようにできるものである。
【００３３】
また、一方の側水切り板３Ｂ１の固定片９を上方からの固着具１０の打ち込み作業により固着し、他方の側水切り板３Ｂ２は係止片１１の係止溝７への係止により取付けると共に重複片１２上に水上側水切り板３ｃを重ねてその上に屋根瓦４を重ねるて動かないようにできるので、両天窓２間に釘やビスを横向きにして固着する操作を行うのに必要な隙間寸法を確保する必要がなく、したがって、このことによってもよりいっそう両天窓２間の隙間寸法を短くできるものである。
【００３４】
ここで、側水切り板３Ｂ２を図１２のように水の流れ方向に複数に分けることで、幅の狭い隣接する天窓２間における施工において長い側水切り板３Ｂ２を取り扱う必要がなく、短い側水切り板３Ｂ２を取り扱うことで施工性を良くすることができる。この場合、水下側の側水切り板３Ｂ２の水上側端部を上方からの固着具１０の打ち込みより屋根下地６に固着し、この水下側の側水切り板３Ｂ２の水上側端部の上に水上側の側水切り板３Ｂ２の水下側の端部を重ねることで固着具１０を覆うことができて固着具１０の固着部分への水の浸入を防止することができる。そして、水上側の側水切り板３Ｂ２は重複片１２上に水上側水切り板３ｃを重ねてその上に屋根瓦４を重ねて動かないようにする。
【００３５】
【発明の効果】
上記のように本発明の請求項１記載の発明にあっては、隣接する天窓間に位置する一方の側水切り板の立ち上がり片とは反対側の側端縁部を断面略Ｓ字状に折り曲げて立ち上がり片側に開口した係止溝を有する折り曲げ片を形成するとともに折り曲げ片の先端から立ち上がり片と反対側に固定片を連出して固定片を屋根下地上に固着具により固着し、隣接する天窓間に位置する他方の側水切り板の立ち上がり片とは反対側の側端縁を下面側に折り返して係止片を形成し、この係止片を上記係止溝に深浅自在に係止してあるので、隣接する天窓間においては一方の側水切り板の係止溝に他方の側水切り板の係止片を係止して両側水切り板により断面Ｕ字状の樋状の水切り部材を構成できて、これが一種の谷樋と同様の機能をして隣接する天窓間に屋根瓦を配設しなくても水切りができるものであり、このため、このように両天窓間に屋根瓦を配置する必要がないので両天窓間の隙間を狭くできるものであり、更に、一方の側水切り板の固定片を上方からの固着具の打ち込み作業により固着し、他方の側水切り板を係止片の係止溝への係止により取付けるので、両天窓間に釘やビスを横向きにして固着する操作を行うのに必要な隙間寸法を確保する必要がなく、したがって、このことによってもよりいっそう両天窓間の隙間寸法を短くできるものであり、更にまた、両天窓間の隙間寸法が現場の施工誤差により設計上の寸法と多少異なっていても係止溝への係止片の係止深さを調整することで吸収できるものである。
【００３６】
また、請求項２記載の発明にあっては、上記請求項１記載の発明の効果に加えて、隣接する天窓間に位置する一対の側水切り板の水上側端部の立ち上がり片以外の部分を水上側に向けて連出して重複片とすると共にこの一対の側水切り板の重複片部分においても係止溝と係止片とで係止し、係止溝と係止片とで連結した一対の重複片上で隣接する天窓の各水上側水切り板の端部同士を重ねてあるので、横方向に隣接する天窓の上水切り板の端部の重複部分から水漏れが生じても、下の係止溝と係止片とで連結した一対の重複片により水を受けて流すことができて、確実に屋根下地側に水が浸入しないようにできるものである。
【図面の簡単な説明】
【図１】本発明の断面図である。
【図２】同上の隣接する天窓間の部分を示す拡大断面図である。
【図３】同上の施工順序を示す説明図である。
【図４】同上の施工順序を示す説明図である。
【図５】同上の施工順序を示す説明図である。
【図６】同上の施工順序を示す説明図である。
【図７】同上の施工順序を示す説明図である。
【図８】同上の施工順序を示す説明図である。
【図９】同上の施工順序を示す説明図である。
【図１０】同上に用いる水切り板の斜視図である。
【図１１】（ａ）（ｂ）は同上に用いる側水切り板の施工順序を示す説明図である。
【図１２】同上に用いる側水切り板の他の例の斜視図である。
【図１３】本発明に至る過程で考えた天窓の水切り構造の断面図である。
【符号の説明】
１　屋根
２　天窓
３　水切り板
３ａ　水下側水切り板
３ｂ　側水切り板
３ｃ　水上側水切り板
４　屋根瓦
５　立ち上がり片
６　屋根下地
７　係止溝
８　折り曲げ片
９　固定片
１０　固着具
１１　係止片
１２　重複片
【図１】
2004107958.tif 000003
【図２】
2004107958.tif 000004
【図３】
2004107958.tif 000005
【図４】
2004107958.tif 000006
【図５】
2004107958.tif 000007
【図６】
2004107958.tif 000008
【図７】
2004107958.tif 000009
【図８】
2004107958.tif 000010
【図９】
2004107958.tif 000011
【図１０】
2004107958.tif 000012
【図１１】
2004107958.tif 000013
【図１２】
2004107958.tif 000014
【図１３】
2004107958.tif 000015